Podtech/llm-jp-corpus-v4-ja_patent huggingface dataset:
(57)【要約】【課題】  自転車、原付自転車、自動二輪の盗難防止器具は、従来は車輪のスポークへの障害物を設けることにより車輪を動かぬようにするもので、これ等のＵ字ロックやチェーン等は切断すれば自走可能であり、自転車盗難防止のチェーンや鍵は比較的破壊しやすいものであった。  また、Ｕ字ロックやチェーンは走行時にはかさ張る大きさで不便であった。  本発明は、小型で使いやすく、破壊されにくい盗難防止器具を提供する。【解決手段】  自転車、原付自転車、自動二輪の自ら有するブレーキシステムを盗難防止に効果的に活用させるもので、ブレーキレバーをロックさせることにより自走することが出来なくさせる器具である。【選択図】    図２
2006131206.tif 000002
【特許請求の範囲】
【請求項１】
自転車、原付自転車、自動二輪等のハンドルにぎり部分にブレーキレバーをロック、施錠する盗難防止器具。
【発明の詳細な説明】
【技術分野】
【０００１】本発明は、ブレーキレバーをロックすることにより自転車、原付自転車、自動二輪の盗難防止を行う器具である。
【背景技術】
【０００２】従来は、車輪のスポークへの障害物を設けることにより車輪を動かぬようにするものであった。
【発明の開示】
【発明が解決しようとする課題】
【０００３】従来のＵ字ロックやチエーン等は切断すれば自走可能であり、自転車盗難防止のチェーンや鍵は比較的破壊しやすいものであった。
またＵ字ロックやチェーンは走行時にはかさ張る大きさであった。
【課題を解決するための手段】
【０００４】本発明は、自転車、原付自転車、自動二輪の自ずから有するブレーキシステムを盗難防止に効果的に活用させるもので、器具によりハンドルにぎり部分にブレーキレバーをロックさせ、施錠することにより自走することが出来なくするものである。器具は小型で破壊しにくい構造である。
【発明の効果】
【０００５】Ｕ字ロック、チェーン等より小型で使用しやすい。
従来の盗難防止器具より丈夫で切断が難しい。ブレーキを使用するのでブレーキワイヤー等を切断して盗もうとしてもブレーキが使用できなくなるので逃走が不可能になる。
自転車や原付自転車、自動二輪でも、ブレーキレバーの幅はほぼ同じなので全車種使用可能である。
それほど難しい構造ではなく小型なのでコストも安くできる。
【発明を実施するための最良の形態】
【０００６】以下、本発明の実施の形態について説明する。
（イ）キーシリンダーを内蔵する本体部分（１）と本体内部をスライドして動くシャフト部分（２）から成る。本体、シャフト部分ともに湾曲した部分をもつ。
（ロ）スライドするシャフトの側面には凹凸があり、キーシリンダーにはクランクが連動する。
本発明は以上のような構成で、これを使用するときは、自転車等のハンドルグリップとブレーキレバーに、本体、シャフト部分にある湾曲部がかかるようにシャフトを伸ばした状態にして被せる。
自転車等のブレーキレバーをひきブレーキシステムが働いている状態で本体にシャフトをロックし施錠する。
解錠するとシャフト側面の凹凸に掛かっていたクランクがはずれブレーキレバーが元に戻り、ブレーキシステムは解除される。
【図面の簡単な説明】
【０００７】
【図１】本発明の平面図
【図２】本発明の右側面図
【図３】本発明の正面図
【図４】Ａ−Ａ′断面図
【図５】Ｂ−Ｂ′断面図
【図６】Ｃ−Ｃ′断面図
【図７】シャフトを伸ばした平面図
【図８】シャフトを伸ばした右側面図
【図９】シャフトを伸ばしたＡ−Ａ′断面図
【図１０】シャフトを伸ばしたＢ−Ｂ′断面図
【図１１】使用説明図（ハンドルに取り付け）
【図１２】同上、側面図
【図１３】使用説明図（ロック、施錠）
【図１４】同上、側面図
【符号の説明】
【０００８】          １  本体
２  シャフト
３  キーシリンダー
４  クランク
５  カギ
【図１】
2006131206.tif 000003
【図２】
2006131206.tif 000004
【図３】
2006131206.tif 000005
【図４】
2006131206.tif 000006
【図５】
2006131206.tif 000007
【図６】
2006131206.tif 000008
【図７】
2006131206.tif 000009
【図８】
2006131206.tif 000010
【図９】
2006131206.tif 000011
【図１０】
2006131206.tif 000012
【図１１】
2006131206.tif 000013
【図１２】
2006131206.tif 000014
【図１３】
2006131206.tif 000015
【図１４】
2006131206.tif 000016
(57)【要約】      （修正有）【課題】自動車のフロントガラスを覆い直射日光霜雪等を防ぐ。【解決手段】シート（１）の全周に芯ひも（９）でシートの強度を増し、シート（１）の両端部に筒状のポケット（２）、下部に貼り止め（４）、上部に開閉蓋（５）を設けてポケットを形成し、抜き出しひも（１１）の付いた広げバー（１０）をポケットに入れ、両端部上下にはとめ穴（６）を設け、リング状ゴムバンド（７）を装着し、リング部をサイドミラーに引っ掛けゴムバンド（７）の張りでフロントガラスに密着させる。【選択図】 図１
2006131201.tif 000002
【特許請求の範囲】
【請求項１】
シート（１）の両端の広げバー（１０）でシートを広げゴムバンド（７）をサイドミラーに引っ掛けて張る方法
【請求項２】
１）シート（１）の両端に筒状のポケット（２）を設ける２）シートの両端部にはとめ穴（６）を設ける３）はとめ穴（６）にゴムバンド（７）を装着する４）両端のポケット（２）の中に広げバー（１０）を入れる  以上の如く構成されたフロシート
【発明の詳細な説明】
【発明の詳細な説明】
【０００１】［発明の属する技術分野］この発明は自動車のフロントガラスを覆い直射日光霜雪等を防ぐものに関するものである
【０００２】［従来の技術］シートの角角に吸盤を用いたりドアーでシートをはさんで張っていた主に直射日光よけでフロントガラスを主に車内で覆っていた
【０００３】［発明が解決しようとする課題］１）シートをフロントガラス面に広げるとき吸盤セットに手間がかかる又すき間が出来風が入り易く捲れる  霜雪は防げない２）フロントガラスに付いた霜をへらでそぎ取ったり湯をかけて溶かしていた
【０００４】［課題を解決するための手段］シート（１）の端部全周に芯ひも（９）を入れ折り曲げ固着するシート（１）の両端部に筒状のポケット（２）下部に貼止め（４）上部に開閉蓋（５）を設けポケットを形成し両端部上下にはとめ穴（６）を設けゴムバンド（７）を装着  広げバー（１０）をポケット内部に入れる
【０００５】［発明の実施の形態］シート（１）の全周に芯ひも（９）でシートの強度を増し  シート（１）の両端部に筒状のポケット（２）下部に貼り止め（４）上部に開閉蓋（５）を設けてポケットを形成し抜き出しひも（１１）の付いた広げバー（１０）をポケットに入れ両端部上下にはとめ穴を設け一方リング状ゴムバンド（７）を装着す  リングバンド（８）のリング部をサイドミラーに引っ掛ける  ゴムバンド（７）の張りでフロントガラスに密着する
【０００６】［発明の効果］１）ドアーミラーにゴムバンド（７）を引掛けるだけでシートを張りフロントガラスを覆い保護する２）両端のポケット（２）で広げバー（１０）を覆い保護し車体に直接触れないので傷が付かない３）シートを車外に張るので車内の温度差が低い４）広げバー（１０）が容易に出し入れが出来るのでシート（１）を自由に折り畳め収納しやすい５）リング状バンド（８）でシートのずれ落ちを防止する
【図面の簡単な説明】
【図１】本発明の斜視図
【図２】本発明の広げバーの斜視図
【符号の説明】
１．．シート                  ３．．のりしろ２．．ポケット                ４．．貼り止め５．．開閉蓋                  ８．．リングバンド６．．はとめ穴                ９．．芯ひも７．．ゴムバンド            １０．．広げバー                            １１・・抜き出しひも
【図１】
2006131201.tif 000003
【図２】
2006131201.tif 000004
(57)【要約】    【課題】ひだ付き紙袋の底面と、この底面の一部を覆う底三角部の下面との間に内容物を進入させないようにした紙袋を提供する。      【解決手段】紙袋内側の底面９と、この底面９の一部を覆う底三角部１０の下面１０ｂとを接着剤２３を介して密着させるようにした。    【選択図】  図２
2006131281.tif 000002
【特許請求の範囲】
【請求項１】
成形時に紙袋内側の最下部に形成された底面の一部を覆うように底三角部が形成されるひだ付き紙袋において、
前記紙袋の底面と、該底面の一部を覆う前記底三角部の下面とを接着剤を介して密着させたことを特徴とするひだ付き紙袋。
【発明の詳細な説明】
【技術分野】
【０００１】
この発明は、ひだ付き紙袋の改良に関し、特に内容物が底三角部と紙袋内側の最下部に形成された底面との間の隙間に侵入することを排除するようにしたひだ付き紙袋の改良に関する。
【背景技術】
【０００２】
図４は、クラフト紙等の紙材により形成された成形前のひだ付き紙袋（以下単に紙袋と言う）１を示す正面図で、この紙袋１の両側方には予めひだ折り目線２，３が形成され、底部４は予め補強紙等の底当て紙５により封緘されている。また口部６のフラップ７には、ホットメルト系の接着剤８が塗布されている。
【０００３】
このような、紙袋１を折り曲げ成形すると図５に示すように、紙袋１の内側でその最下部には平坦な底面９が形成され、その両側方には当該底面９の一部を覆う底三角部１０が形成される。
【０００４】
なお、この紙袋１内に内容物を収容した後、フラップ７を閉じると、当該フラップ７に塗布された前記接着剤８により口部６が封緘される。
【発明の開示】
【発明が解決しようとする課題】
【０００５】
ところで、上述したひだ付き紙袋１を折り曲げ成形すると、図５に示すように紙袋１の内側最低部には平坦な底面９が形成され、その両側方には当該底面９の一部を覆う底三角部１０が形成されるが、この底三角部１０の上面１０ａと下面１０ｂのうち、紙袋１の底面９と底三角部１０の下面１０ｂとの間は単に重なり合っているだけなので、その間は拡開自在であり、このため図５の要部破断拡大斜視図で示す図６のように、紙袋１の底面９と底三角部１０の下面１０ｂとの間に形成される隙間１１から内容物の一部Ａが進入し易く、この隙間１１内に内容物の一部Ａが進入するとその部分が膨れ、ひだ付き紙袋１の全体形状が損なわれるだけでなく、その隙間１１内に侵入した内容物の一部Ａを簡単に取り出すことが出来なくなる虞もあった。
【０００６】
この発明は、上述した事情に鑑み、ひだ付き紙袋の底面と、この底面の一部を覆う底三角部の下面との間に内容物を進入させないようにした紙袋を提供することを目的とする。
【課題を解決するための手段】
【０００７】
上述した課題を解決するため、この発明では、成形時に紙袋内側の最下部に形成された底面の一部を覆うように底三角部が形成されるひだ付き紙袋において、
前記紙袋の底面と、該底面の一部を覆う前記底三角部の下面とを接着剤を介して密着させるようにしている。
【発明の効果】
【０００８】
上述したひだ付き紙袋によると、折り曲げ成形時にひだ付き紙袋の内側最下部に形成される底面と、この底面の一部を覆う底三角部の下面との間を接着剤で密着するようにしたため、紙袋の底面と底三角部の下面との間に隙間がなくなるから、その間に内容物の一部が進入することはなく、このため、その部分が膨れてひだ付き紙袋の全体形状を損なうこともなく、また口部を開封することにより内容物の全てを簡単に排出させることが出来る。  
【発明を実施するための最良の形態】
【０００９】
以下、この発明に係るひだ付き紙袋の一実施例を詳述する。
【００１０】
図１は、この発明に係るひだ付き紙袋２０を、その内側から見た要部展開図で、図４乃至図６と同一部分を同一符号で示す。
【００１１】
このひだ付き紙袋２０ではひだ折り目線２，３の下方であって、折り曲げ成形時に底三角部１０の上面１０ａとなる三角形部分に隣接し、かつ成形時に前記底三角部１０の下面１０ｂとなる左右対称な一対の三角形部分にそれぞれ糊等の接着剤２３が塗布されている。
【００１２】
このように、ひだ付き紙袋２０の底三角部１０の下面１０ｂとなる左右対称な三角形部分にそれぞれ接着剤２３を塗布した後、ひだ付き紙袋２０を折り曲げ成形すると、その要部斜視図で示す図２のように、底三角部１０の下面１０ｂと紙袋１の底面９とが接着剤２３を介して密着し、そのためその間に隙間が形成されることはない。
【００１３】
従って、内容物の侵入により底三角部１０の下面１０ｂが膨れてひだ付き紙袋２０の全体形状を損なうこともなく、また紙袋２０の口部を開封することにより収容した内容物の全てを簡単に排出させることが出来ることとなる。
【００１４】
なお、上記実施例では、図１に示すように折り曲げ成形時に底三角部１０の上面１０ａとして形成される三角形部分に隣接し、かつ前記底三角部１０の下面１０ｂとして形成される左右対称な一対の三角形部分にそれぞれ接着剤２３を塗布するようにしたが、この発明は上記実施例に限定されることはなく、要は底三角部１０の下面１０ｂと紙袋１の底面９とが接着剤２３を介して接着すればよいから、例えば図１と同一部分を同一符号で示す図３のように、成形時にひだ付き紙袋２０の底面９の一部となり、前記前記底三角部１０の下面１０ｂが重なる部分である、対称な一対の三角形部分３３にそれぞれ接着剤２３を塗布するようにしても良い。
【産業上の利用可能性】
【００１５】
以上説明したように、この発明は、内容物が底三角部と底面との間の隙間に侵入することを排除するようにしたひだ付き紙袋に適している。
【図面の簡単な説明】
【００１６】
【図１】図１はこの発明に係るひだ付き紙袋の要部展開図。
【図２】図２はこの発明に係るひだ付き紙袋の要部破断斜視図。
【図３】図３はこの発明の他の実施例を示す要部展開図。
【図４】図４は成形前のひだ付き紙袋の正面図。
【図５】図５は成形後のひだ付き紙袋を示す概念斜視図。
【図６】図６は従来のひだ付き紙袋の要部拡大斜視図。
【符号の説明】
【００１７】
９…底面
１０…底三角部
１０ｂ…底三角部の下面
２０…ひだ付き紙袋
２３…接着剤
【図１】
2006131281.tif 000003
【図２】
2006131281.tif 000004
【図３】
2006131281.tif 000005
【図４】
2006131281.tif 000006
【図５】
2006131281.tif 000007
【図６】
2006131281.tif 000008
(57)【要約】      （修正有）【課題】自動販売機等で販売する缶入り飲み物容器類の飲み口の封印により、消費者を衛生面で保護する為の方法を提供する。【解決手段】  １実施例として、トウモロコシを原料とする発砲スチロールのキャップを飲み口に被せて消費者を衛生面で保護すると共に、容器回収時にゴミとなっても、比較的早期に土に溶けて、土の栄養になることを特長とする。【選択図】  図１
2006131297.tif 000002
【特許請求の範囲】
【請求項１】
当該容器飲口周辺に、トウモロコシ製又は、鉄製のキャップに弱い磁性を帯びさせるか、これに代わり得る環境保全適合材質のキャップを被せるなりシールするなりしたことを特長とする缶入飲物容器飲口の衛生維持の方法。
【発明の詳細な説明】
【発明の詳細な説明】
【０００１】［発明の属する技術分野］
この発明は、缶入飲物容器類飲口に関して、監督官庁の衛生維持管理の徹底通達に基づき、消費者保護と食品衛生法の観点から、環境保全に適合した材質での衛生維持具を装着した、缶容器の衛生維持具と衛生維持法に関するものである。
【０００２】［従来の技術］
自動販売機や販売店での、従来の缶入飲物の販売実態は、当該容器飲口が剥出しの状態であり、これでは、衛生維持管理が不徹底で、健康維持増進の為の飲物の「いつでも・何処でも・簡単に！」を業者主導で運営しているとしか考えられず、あまりにも消費者の健康観・衛生観念を無視した実態が明らかであり、これに飼い馴された消費者も哀れである！断じてこのまま放置できる事態では無い！
【０００３】［発明が解決しようとする課題］
イ．メーカーは、缶入飲物容器飲口を剥出しの状態で出荷している為、不特定多数の営業員の素手で飲口が汚染し、不衛生極まり無く、食品衛生法に違反明白！
ロ．更に、流通途上での倉庫における在庫管理面においては、チリ・ホコリや、雨水等の付着に因る汚染に対する配慮が全然無く、不衛生極まり無い！
ハ．食器の皿や箸やフォークを、妄りに、不特定多数の人に触れさせるような事を、通常はしない！この観点にたって、缶入飲物容器飲口の管理の徹底が必要！
本発明は、以上の欠点を解決する為に為されたものである。
【０００４】［課題を解決する為の手段］
缶入飲物容器飲口（１）に、製造ラインの最終工程で、口が触れる範囲を外気と触れさせないようシール（２）するか、キャップ（３）を被せて保護する。
本発明は、以上の構成よりなる、缶入飲物容器類飲口の衛生維持方法である。
【０００５】［発明の実施の形態］
以下、本発明の実施の形態を説明する。
イ．缶入飲物容器飲口（１）を、製造ラインの最終工程で、弱い磁性を帯びさせたキャップ又は、シール（２）で封印する。  あるいは、次の方法もある。
ロ．缶入飲物容器飲口（１）に、製造ラインの最終工程で、トウモロコシ製あるいは、これに代わる材質のキャップ（３）を被せるなり、貼付けるなりして、密封し、流通過程で剥がれた商品は、メーカーへ返品する。キャップ（３）は、剥がすときに、塵となって散乱しても、自然に土に溶けて、土が肥沃になる。「塵として積極的に散らかせ！」との主張にあらず。
本発明は、以上の構成よりなっている。
【０００６】［発明の効果］
そう言われれば、そうだな！と気付く人が多く居る筈である。大体、こうした法律規制をすべき政治家が居ないのは、官尊民卑ならぬ、業界のいいなりになって政治資金を貰いたい為の、成れの果ての犠牲に国民がいつも貧乏籤を引かされいる格好の事例と言えよう。製薬会社と政治家が癒着して、薬害被害で苦しめられるのも弱者の国民なのである。国民よ！厳しい目で世相を見よう！自動販売機に缶飲物容器を装填している運送車輌運転手の手の不潔さを思い浮かべてみれば、そう気軽に缶容器飲物を飲む気になれない筈である。コンビニのレジでは、金銭授受した店員の手が、缶入飲物容器飲口に触れているのを、その気になって注視すれば確認できる。これを許せないとするのは、精神がまともな証拠。日本の国情は、食料不足で困っている外国の事例に当たらないのだから「こんな不潔な飲物飲めるか！」と言った衛生観念を持った多くの人が出てくる事を願い、祈るばかりである。「免疫力でカバーできる範囲だ！」で、片付く問題では無い！
【図面の簡単な説明】［図１］
本発明の斜視図（第１実施例）
［図２］
本発明の斜視図（第２実施例）
【符合の説明】
１  缶入り容器飲み口
２  シールでの密封例
３  キャップでの密封例
【図１】
2006131297.tif 000003
【図２】
2006131297.tif 000004
(57)【要約】【課題】    従来、乾燥剤容器の胴体部分は合成樹脂製のものを使っていたが、これは水分子を通しにくく、紙製の蓋の部分だけでは十分な吸湿性を保てなかった。また、紙製の蓋と合成樹脂製の胴体が一体になっているので、リサイクルや廃棄時に不便であった。  以上のような欠点をなくすために胴部分を通気性のある紙製にした乾燥剤容器を提供する。【解決手段】パルプモールドなどの通気性のある紙製の容器の胴体部分に乾燥剤を封入し、通気性のある紙製の蓋をしたことにより、容器全体が通気性のある紙製となり水分子を十分通し、必要な吸湿性を保つことができる。また、使用後はすべて可燃物として廃棄することができ、燃焼しても有害ガスを発生しない。胴体部分にも印刷することができる。【選択図】    図１
2006131299.tif 000002
【特許請求の範囲】
【請求項１】
パルプモールドなどの通気性のある紙製の容器の胴体部分（１）に乾燥剤（２）を封入し、通気性のある紙製の蓋（３）をした乾燥剤容器。
【発明の詳細な説明】
【技術分野】
【０００１】  この発明は、乾燥剤を封入した乾燥剤容器に関するものである。
【背景技術】
【０００２】  従来、乾燥剤容器の胴体部分は合成樹脂製のものを使っていた（たとえば、特許文献１参照）。【０００３】
【特許文献１】    特許公開２０００−７９９７３号公報
【発明の開示】
【発明が解決しようとする課題】
【０００４】  これは次のような欠点があった。
合成樹脂製の胴体部分は水分子を通しにくく、紙製の蓋の部分だけでは十分な吸湿性を保てなかった。また、紙製の蓋と合成樹脂製の胴体が一体になっているので、リサイクルや廃棄時に不便であった。
本発明は以上のような欠点をなくすために考えたものである。
【課題を解決するための手段】
【０００５】  パルプモールドなどの通気性のある紙製の容器の胴体部分（１）に乾燥剤（２）を封入し、通気性のある紙製の蓋（３）をする。
本発明は、以上の構成よりなる乾燥剤容器である。
【発明の効果】
【０００６】  乾燥剤を入れている容器が胴蓋とも通気性のある紙製で水分子を十分通し、必要な吸湿性を保つことができる。使用後はすべて可燃物として廃棄することができ、燃焼しても有害ガスを発生しない。封入する乾燥剤を生石灰にした場合、使用後は消石灰になっており、焼却炉で燃焼させると他のゴミから出た塩化水素等の酸性ガスを無害の物質に分解でき大気汚染をやわらげることができる。また、そのまま土に埋めて土壌改良材として使用することもできる。容器の胴体は紙製なので印刷することが可能であり、透明容器に入れて使用する場合、商品名や社名、原材料名などを印刷することで、容器にこれらの記載をしたシールを貼る必要も無くなり、コストを削減することができる。
【発明を実施するための最良の形態】
【０００７】  以下、本発明の実施の形態について説明する。
通気性のある紙製容器の胴体部分（１）に規定量の乾燥剤（２）を封入し、通気性のある紙製の蓋（３）を貼り付け、乾燥剤が出ないように封止する。容器の胴体部分の形状は、円筒形以外にも直方体や多角形筒型などこの乾燥剤容器を入れる容器の形状に合わせて成型する。【０００８】  容器の胴体部分はパルプモールドや紙管容器などの製造方法で製造する。パルプモールドとは、古紙またはパルプを水で溶かして液状にし、所定の形状の金型に貼り付けた金網で抄き上げ、乾燥して製造する紙成型品である。紙管容器とは、芯棒に接着剤をつけた紙をらせん状または一枚ものの平巻きで巻きつけて作成された紙管を、切断し底をつけた紙成型品である。【０００９】  本発明は、以上のような構造でこれを使用するときは、乾燥を必要とする物を入れる容器の下部に本品を敷き、乾燥を必要とする物を入れ、蓋をする。もしくは乾燥を必要とする物を容器に入れてからその上部に入れて蓋をするか、蓋そのものに組み込んで使用する。乾燥を必要とする物とは、海苔、かつおぶし、乾椎茸、乾麺、ナッツ類、お菓子（おかき、あられ、せんべい、クッキーなど）などの食品や、医薬品、金属部品、電子機器、貴金属、ガラス製品などが考えられる。図２は海苔の容器に入れた実施例である。
【図面の簡単な説明】
【００１０】
【図１】  本発明の斜視図である。
【図２】  本発明の使用時の断面図である。
【符号の説明】
【００１１】  １  胴体
２  乾燥剤
３  蓋
４  乾燥剤容器
５  乾燥物収納用容器
６  乾燥を必要とする物
【図１】
2006131299.tif 000003
【図２】
2006131299.tif 000004
(57)【要約】【課題】  今まで長年鋳鉄溶解に使われていた鋳物用コークスは普通鋳物である程度の硫黄分は必要であった。  しかし今日ダクタイル鋳鉄の生産量が全世界で半分を占める時代になり、当然低い硫黄分のコークスが熱望されている。それの製造方法である。【解決手段】  硫黄分の低い石炭を探し出し、よく洗浄を繰り返して硫黄分を取り出して鋳物用コークスを製造する。【特許請求の範囲】
キューポラにてダクタイル鋳鉄用熔湯を製造する時必要な硫黄分の低いコークスの製造方法
【発明の詳細な説明】
【発明の詳細な説明】
【技術分野】
【０１】鋳造―この考案はキューポラで安易にダクタイル鋳鉄が製造出来るコークスの製造方法である。
【背景技術】
【０２】鋳物用コークスの硫黄分は規格が０．７％以下でパーライト地が安定するなど普通鋳鉄では最適である。
【発明が解決しようとする課題】
【０３】本発明ははっきりと普通鋳物用とダクタイル鋳鉄用に分類してコークスを製造する。
【課題を解決するための手段】
【０４】中国山西省に１０，０００個所ぐらいの炭坑の中で２〜３個所非常に低い硫黄分の石炭が産出する、これを普通鋳鉄用ではムダなぐらい洗浄を行い比重の小さい硫黄分を流出させる。
【発明を実施するための最良の形態】
【０５】普通鋳物用コークスと本発明のコークスをキューポラ内に投入し実際に熔解した時の熔湯硫黄分の差は計算では下記のようになる。
パーセントを出す為便宜上ひと山１００ｋｇとする。
2006131859.tif 000002
上記の計算式は説明用に述べたものである。  実際にはいろいろの要因が加わって当社の測定値は０３年１０月は普通コークスを使用した。その平均は０．１０８％であった。
０４年１０月本発明のダクタイル鋳鉄用を使用したから平均０．０４８％になり、脱硫装置を使用せずダクタイル鋳鉄が出来るようになった。
【発明の効果】
【０６】したがって硫黄分の低いコークスが入手出来るなら必ずダクタイル鋳鉄製造の際、品質の安定・コストダウンは間違いない。
【図面の簡単な説明】コークスの大きさはキューポラの内径の１０分の１の大きさが理想とされ、形状はおおむね図面のようである。    上は正面図、下は平面図。
2006131859.tif 000003
【手続補正書】
【提出日】平成17年1月5日(2005.1.5)
【手続補正１】
【補正対象書類名】明細書
【補正対象項目名】全文
【補正方法】変更
【補正の内容】
【発明の詳細な説明】
【技術分野】
【０００１】鋳造−この考案はキュ−ポラで安易にダクタイル鋳鉄が製造出来るコークスの製造方法
【背景技術】
【０００２】鋳物用コークスの硫黄分は規格が０．７％以下でパーライト地が安定するなど普通鋳鉄では最適である。
【発明が解決しようとする課題】
【０００３】本発明ははっきりと普通鋳物用とダクタイル鋳鉄用に分類してコークスを製造する。
【課題を解決するための手段】
【０００４】中国山西省に１０，０００カ所位の炭坑の中で２〜３カ所非常に低い硫黄分の石炭が産出する、これを普通鋳鉄用では無駄なぐらい洗浄を行い比重の小さい硫黄分を流出させる。
【発明を実施するための最良の形態】
【０００５】普通鋳物用コークスと本発明のコークスをキューポラ内に投入し実際に熔解した時のパーセントを出すため便宜上一山１００ｋｇとする。
2006131859.tif 000004
上記の計算式は説明用に述べたものである、実際にはいろいろの要因が加わって当社の測定値は０３年１０月は普通コークスを使用した。その平均値は０．７３％であった。０４年１０月本発明のダクタイル鋳鉄用を使用したから平均値は０．０２８％になり、脱硫装置を使用せずダクタイル鋳鉄ができるようになった。
【発明の効果】
【０００６】したがって硫黄分の低いコークスが入手出来るなら必ずダクタイル鋳鉄製造の際、品質の安定、コストダウンは間違いない。
【図面の簡単な説明】
【０００７】
【図１】正面図
【図２】平面図
【手続補正２】
【補正対象書類名】図面
【補正対象項目名】全図
【補正方法】変更
【補正の内容】
【図１】
2006131859.tif 000005
【図２】
2006131859.tif 000006
(57)【要約】      （修正有）【課題】手や足の力で駆動出来る自転車のクランク軸の左右に組込みされたワンウェイクラッチの機能を左右同じにするか片方を機能無にするかによって，こぎ方を変える。【解決手段】（６）のクランク軸と一体の（１０）の固定板の穴と（４）のクランクの穴を合せてピンを入れるとワンウェイクラッチが無機能になり固定されます。これを左右同じにするか片方にするかによって，こぎ方を少し変いられる。【選択図】図２
2006131199.tif 000002
【特許請求の範囲】
【請求項１】
（６）のクランク軸に組込られた（５）のワンウェイクラッチを必要に応じてクラッチ機能が無になるやうに固定出来る方法
【発明の詳細な説明】
【発明の詳細な説明】
【０００１】［発明の属する技術分野］（６）のクランク軸に組込られた（５）のワンウェイクラッチを必要に応じてクラッチ機能が無になるやうに固定出来る方法
【０００２】［従来の技術］従来の手こぎ自転車は両手を同時に同方向に動かして駆動させる方法がほとんどだと思います
【０００３】［発明が解決しようとする課題］（５）のワンウェイクラッチは自転車のフリ−ギヤのやうにペダルを前にこぐと前進しますが後にこぐと進みませんが・これと同じやうな機能です本発明はこの機能を改いられる方法です．
【０００４】［課題を解決するための手段］（６）のクランク軸に（４）のクランクと一体化された（５）のワンウェイクラッチが組込みられていますその内側の隣にクランク軸と一体化れた（１０）の固定板がありますクランクには一つ，固定板にはイとロの符号の記された二つの穴がありますがクランクの穴と固定板との双方の穴を合せて共にピンを入れると（５）のワンウェイクラッチの機能は無になり固定された状態になります。
【０００５】［発明の実施の形態］手の力で駆動させる時は（１）のハンドル（２）の駆動レバ−（３）のクランクア−ム（４）のクランク（５）のワンウェイクラッチ（６）のクランク軸に固定されている（７）の歯車（８）のチェン等を連動させて（９）の車輪を回転させます．足の力で駆動させるときは（１）のハンドルに組込みされている（１５）の変動ピンを（２）の駆動レバ−から抜いて上の（１４）のハンドル止めに移して（１５）の変動ピンを入れてハンドルを固定させますとハンドルは上下には動きませんが左右には動きます．そして（２）の駆動レバ−から（１３）のペダルレバ−に（１２）の鉄線とかワイヤ−を接続します（２）の駆動レバ−の接続する所は（１１）の前輪支持ホ−クの軸の近くに接続します下のペダルレバ−に接続する所は上の接続した所から鉄線等を下げて止まった所の近い所ほどよいと思います．
【０００６】［実施例］手の力で駆動させる時はハンドルを上下に動かして駆動させますが左右にも動きますのでカジとりもできます，足の力で駆動させる時は（１６）のペダルを足の力で押し下げて駆動させます，ところで以前三輪自転車を片手片足で苦労しながら動かしているのを見て本自転車を作りました．もちろん本自転車は片方は手で片方は足でこげるやうに接続すれば出来ます．なお練習すれば両手両足を同時に動かして駆動させることが出来ます．
【０００７】［発明の効果］（６）のクランク軸の左右に組込まれている（５）のワンウェイクラッチが機能している時（１）のハンドルを上下に一杯に動かすと従来の手こぎ自転車と効果はあまり変わらないと思いますが体力が弱いとかその他の事情で手こぎハンドルを一杯にこぎ動かすのはきつく感じられる人もいると思います，そこで適当な中間の位置で手こぎしますとハンドルを駆動と戻りを小刻みに反復させる動きになりますので従来の両手を同時に同方向に動かすは忙しなくなりますが本自転車は（６）のクランク軸の左右に組込みされたワンウェイクラッチの作用によりハンドルを交互に反復させられるので忙しなくないし駆動力にむらがないなお同時に同方向にこぐことも出来る，さらに（４）のクランクの穴と（１０）の固定板の穴を合せてピンを入れたりまたわ固定板の違う符号の穴にピンを入れたり抜いたりすれば手こぎ駆動の場合，幾くとうりか有りますので自分に適したこぎ方も有るのではないかと思います．足力で駆動させる時（２）の駆動レバ−と（１３）のペダルレバ−を鉄線等で接続して足の力で駆動させますが（２）の駆動レバ−はハンドルをきると左右にも動きますので（１３）のペダルレバ−は上下にだけしか動きませんからハンドルをきると上と下にづれが出ます，しかし（２）の駆動レバ−の接続する所が前輪支持ホ−クの軸にできるだけ近くに接続すれば普通に自転車を駆動させるのに，なんの支障もありません（２）の駆動レバ−と（１３）のペダルレバ−との間に接続した鉄線等が上と下のづれに適応しますから普通に乗っているとき上でハンドルきって下でペダルをこいでも何の支障もありません。
【図面の簡単な説明】
【０００８】
【図１】本発明の左側面図です
【図２】（６）のクランク軸に組込まれたワンウェイクラッチと固定板などの関連部の部分図
【図３】ハンドルや駆動レバ−等の関連部と足こぎ用の鉄線等の上の接続部の部分図２図と３図は真上図で重なり合っているので別別にしました．
【符号の説明】
【０００９】１７サドル  １８後輪  １９ピン  なお後輪は２輪の３輪車です
【図１】
2006131199.tif 000003
【図２】
2006131199.tif 000004
【図３】
2006131199.tif 000005
(57)【要約】【課題】  従来の３輪又は４輪の自転車やオートバイはハンドルを回すと運転者の上体が旋回外側へ傾き易く、車両の横転を助長するものであった。【解決手段】  ハンドルを横方向に傾倒する２本のレバーに換えて、運転者の上体を旋回内側へ傾け易くした。【選択図】  図２
2006131200.tif 000002
【特許請求の範囲】
【請求項１】
操向輪（ＷＡ，ＷＢ）を操向レバー（２ａ，２ｂ）で操作する操向装置に於いて、操向レバー（２ａ，２ｂ）がフレーム（Ｆ）の突起部（ＦＡ，ＦＢ）に軸支され、操向レバー（２ａ）と操向レバー（２ｂ）はリンク（５）で連動可能となし、操向レバー（２ａ）とレバー（７ａ）はリンク（６ａ）で連節し、操向レバー（２ｂ）とレバー（７ｂ）はリンク（６ｂ）で連節して、操向レバー（２ａ）又は操向レバー（２ｂ）を車体に対して横方向へ傾倒させた時、操向輪（ＷＡ，ＷＢ）が同時に旋回運動を行うことを特長とした操向装置。
【請求項２】
操向レバー（２ａ）と操向レバー（２ｂ）の基部に固結された金具（４ａ）と金具（４ｂ）には、軸（１０ａ）と軸（１０ｂ）を結ぶ線上の内側に穴（９ａ）と穴（９ｂ）が設けられ、この穴（９ａ，９ｂ）を両端としてスプリング（８）が若干伸長された状態で架設された請求項１に記載の操向装置。
【発明の詳細な説明】
【技術分野】
【０００１】  本発明は３輪又は４輪の自転車あるいはオートバイの操向装置に係るものであるが、一般の２輪ものにも適用できる。
【背景技術】
【０００２】  従来、操向輪すなわち前輪を２つもつ自転車やオートバイの操向装置としては図４に示すごとくハンドル（３０１）に固結したレバー（３０２）とリンク（３０３ａ，３０３ｂ）及びレバー（３０４ａ，３０４ｂ）を係動可能としたいわゆる自動車のアッカーマンリンクに自転車のハンドルを結合したものであった。
【発明の開示】
【発明が解決しようとする課題】
【０００３】  従来の左右方向に伸展した形状のハンドルは旋回時、旋回外側に対応する腕は伸ばし、旋回内側に対応する腕は縮めるため、運転者の上体は旋回外側へ傾き易く、旋回外側への転倒を招き易かった。【０００４】  加えて、歩きながらハンドルを持って自転車を移動させようとするとき、強く保持していないとハンドルが回ってしまうため、思い通りに移動させることが困難だった。【０００５】  本発明は、従来の技術が有するこのような問題を鑑みてなされたものであり、その目的とするところは、自転車やオートバイのハンドル操作時、上体が旋回の内側に傾き、外側への転倒を防止し、歩きながら自転車を移動させようとする時にも楽にハンドル操作を可能にするものである。
【課題を解決するための手段】
【０００６】  本発明では図４に示すような概水平回転のハンドル（３０１）を廃し、下部で軸支し、リンクで連節した２本のレバーをハンドルとなし、車両旋回時はこの２本のレバーを旋回内側へ傾倒する構造とした。【０００７】  ２本のレバーの各々の回転軸を両端とする軸線上の内側にスプリングを張り掛けることで、２本のレバーが常に直立を保とうとする機能も得た。
【発明の効果】
【０００８】  本発明は、上述の通り構成されているので、操向レバーを車両の旋回運動の内側に向けて傾倒させるため運転者は操向レバーと同じように自身の上体を傾倒させることで、遠心力に対抗でき、車両の外側への転倒を防げる。【０００９】  請求項１の操向装置においては、操向レバーは車両の直進方向に押されても影響を受けないため、車両の側方に立ち操向レバーを持ち、歩きながら車両をけん引することが容易である。【００１０】  請求項２において、操向レバーは常に直立を保とうとするため、操向レバーから手を離した状態でも車両の直進性が確保された。
【発明を実施するための最良の形態】
【００１１】  発明実施の形態について図面を参照にして説明する。図１は本考案の実施の形態における操向装置が採用された自転車の正面図、図２は車両前方に向かって操向レバーを左へ切った時の正面図、図３は図２の平面図、図４は従来例である。【００１２】  左右の操向レバー（２ａ，２ｂ）はそれぞれフレーム（Ｆ）の突起部（ＦＡ，ＦＢ）に軸支され、軸（１０ａ，１０ｂ）を中心にして左右に傾倒できる。【００１３】  金具（３ａ，３ｂ）は２本の操向レバー（２ａ，２ｂ）に固結されており、リンク（５）及びリンク（６ａ，６ｂ）の取り付け用であるとともに、レバー（２ａ，２ｂ）から前方へ一定の距離を設ける役割を有する。【００１４】  金具（４ａ，４ｂ）は２本の操向レバー（２ａ，２ｂ）に固結されており、スプリンリグ取付穴（９ａ，９ｂ）は各々軸（１０ａ，１０ｂ）を中心として操向レバー（２ａ，２ｂ）と直角で内側に相対する位置にあけられている。【００１５】  リンク（５）は金具（３ａ）と金具（３ｂ）にその両端（１３、１４）を軸支され、その軸間距離が軸（１０ａ）と軸（１０ｂ）の軸間距離と同じであるため、操向レバー（２ａ）と操向レバー（２ｂ）が、常に平行を保つよう連節している。【００１６】  スプリング（８）は自然状態から少し引っ張った状態で、穴（９ａ，９ｂ）に張り渡してあり、図１に示す操向レバー（２ａ，２ｂ）の直立状態が、スプリング長の最も短い距離（Ｓｏ）となるため操向レバー（２ａ，２ｂ）は直立を保つ。【００１７】  図２は車両正面から見て、レバー（２ａ，２ｂ）を右側に傾倒させた状態で、この時は穴（９ａ）は円弧を描き下方に移動し、穴（９ｂ）は同様に上方に移動するためこの時のスプリング長（Ｓｉ）はＳｉ＞Ｓｏの関係になる。すなわち、操向レバー（２ａ，２ｂ）を傾倒させるとスプリング（８）が伸長され、縮んでレバー（２ａ，２ｂ）を直立させようとする力になる。【００１８】  車輪（ＷＡ，ＷＢ）は各々ホーク（１ａ，１ｂ）に支持され、ホーク（１ａ，１ｂ）の中央上部のパイプは各々フレーム（Ｆ）の両端に軸支され、その最上部にはレバー（７ａ，７ｂ）が固設されている。【００１９】  リンク（６ａ）の内側端は玉軸受（１２）となっており、金具（３ａ）に軸支され、外側端も玉軸受（１１）でレバー（７ａ）に軸支されている。リンク（６ｂ）についても同様である。【００２０】  操向レバー（２ａ，２ｂ）の直立状態の時、操向輪（ＷＡ，ＷＢ）は直進状態となっている。【００２１】  以上の連節構造により、レバー（２ａ）又はレバー（２ｂ）の一方を傾倒すれば操向輪（ＷＡ，ＷＢ）は同時に操向レバー（２ａ，２ｂ）の傾倒角度に応じた旋回角度をとる。
【図面の簡単な説明】
【００２２】
【図１】  本考案を３輪又は４輪自転車に装着した正面図である。
【図２】  本考案を装着した３輪又は４輪自転車が左側へ旋回運動しようとする時の正面図である。
【図３】  旋回運動しようとする時の平面図である。
【図４】  従来の３輪又は４輪自転車の操向装置を示す平面図である。
【符号の説明】
【００２３】    １ａ，１ｂ        ホーク
２ａ，２ｂ        操向レバー
７ａ，７ｂ        レバー
８                スプリング
Ｆ                フレーム
ＷＡ，ＷＢ        操向輪
【図１】
2006131200.tif 000003
【図２】
2006131200.tif 000004
【図３】
2006131200.tif 000005
【図４】
2006131200.tif 000006
(57)【要約】【課題】従来のペットボトルのラベルは，剥がしづらかった。また，ミシン目を入れて，剥がしやすくしたラベルもあるが，剥がすという動作自体が面倒であり，ミシン目が入れてあっても，剥がされないまま捨てられていることが多い。ペットボトルをリサイクルするためには，ラベルと分別する必要があるため，ラベルが剥がされていないということは，ペットボトルをリサイクルする際の大きな障壁となっている。【解決手段】ペットボトルのラベルをキャップから下方にかけて全体を覆う形態とし，キャップとペットボトル本体との境目部分あたりから，下方に向けて左回転に螺旋状のミシン目を入れ，使用者がキャップを開ける動作と連動して，ラベルの一部分が剥がれるような形態にする。このことにより，「まず，ラベルの一部分を剥がす」というラベル全体を剥がすための初動作を省略でき，面倒さを減少させることができる。【選択図】    図１
2006131301.tif 000002
【特許請求の範囲】
【請求項１】
キャップを開けることで剥がしやすくなるペットボトルのラベル
【発明の詳細な説明】
【発明の詳細な説明】
【発明が属する技術分野】
【０００１】  本発明は，キャップを開けるという動作をすることで，その動作と連動して，ラベルの一部分が剥がれ，ラベル全体が剥がしやすくなるペットボトルのラベルの形態に関するものである。
【背景技術】
【０００２】  従来のペットボトルのラベルは，剥がしづらかった。また，ミシン目を入れて，剥がしやすくしたラベルもあるが，剥がすという動作自体が面倒であり，ミシン目が入れてあっても，剥がされないまま捨てられたり，リサイクルに回されていることが多い。
【発明が解決しようとする課題】
【０００３】  解決しようとする問題点は，従来のペットボトルのラベルの剥がしづらさや面倒さを解消し，かつ，使用者がキャップを開けるという動作をすることで，その動作と連動して，ラベルの一部分が剥がれ，「まず，ラベルの一部分を剥がす」というラベル全体を剥がすための初動作を省き，面倒さを減少させるという点である。
【課題を解決するための手段】
【０００４】  ペットボトルのラベルをキャップから下方にかけて全体を覆う形態とし，キャップとペットボトル本体との境目部分あたりから，下方に向けて左回転に螺旋状のミシン目を入れ，使用者がキャップを開ける動作と連動して，ラベルの一部分が剥がれるようにすることを最も主要な特徴とする。
【発明を実施するための最良の形態】
【０００５】  ペットボトルのラベルをキャップから下方にかけて全体を覆う形態とし，キャップとペットボトル本体との境目部分あたりから，下方に向けて左回転に螺旋状のミシン目を入れ，使用者がキャップを開ける動作と連動して，ラベルの一部分が剥がれるように施した形態である。
【実施例】
【０００６】  ペットボトルのラベルをキャップから下方にかけて全体を覆う形態とし，キャップとペットボトル本体との境目部分あたりから，下方に向けて左回転に螺旋状のミシン目を入れることにより，使用者がキャップを開けると，その動作と連動して，ラベルの一部分が剥がれるようにする。
【発明の効果】
【０００７】  以上説明したように，本発明の「剥がしやすく，リサイクルしやすいペットボトルのラベル」は，使用者がキャップを開ける動作をすることで，その動作に連動してキャップの一部分が剥がれるようになっている。そのため，従来のラベルのように，使用者がペットボトルを捨てる際に，改めて，ラベルを剥がすための初動作をすることなく，ラベル全体を剥がすことが可能である。このことによって，ペットボトルをリサイクルする際に，大きな障壁となっている「剥がされていないラベル」つきのペットボトルを減少させることができると考えられる。
【図面の簡単な説明】
2006131301.tif 000003
【符号の説明】
１  螺旋状のミシン目の形態例
２  ペットボトルのキャップ
【図１】
2006131301.tif 000004
【図２】
2006131301.tif 000005
(57)【要約】      （修正有）【課題】現在、販売されている健康食品等を入れているチャック付の袋は、印刷で指示している一直線の切り取り線をハサミで切ったとき、チャックで袋の上部が密着して袋が開けづらかった。本発明は、その欠点をなくして年配者や体が不自由な人でも簡単に袋を開けられることを目的とした。【解決手段】チャック付の袋４の上部に印刷している切り取り線１の一部を上方向へ突出させて、その部分を折り目線で外方向に折り曲げることにより、指でそれぞれの一辺を持って袋を開けやすくした。【選択図】  図１
2006131302.tif 000002
【特許請求の範囲】
【請求項１】
一部分を上部方向へ突出させた形で切り取り線を印刷したチャック付の袋。
【請求項２】
台形、あるいは山形に突出させた切り取り線を印刷した請求項１のチャック付の袋。
【請求項３】
折り目線を印刷した請求項１のチャック付の袋。
【請求項４】
上部を切り取り線の形に合わせた形状とした請求項１のチャック付の袋。
【発明の詳細な説明】
【技術分野】
【０００１】この発明は、健康食品や医薬品などを入れたチャック付の袋に関するものである。
【背景技術】
【０００２】従来、健康食品などを封入した袋は、毎日、少しずつ使用するため、チャック付の袋を利用したものが多いが、メーカーの出荷段階では、完全密閉の袋として出荷して消費者が使用段階で袋のチャックの上部をハサミなどで切って開封し、使用後は、チャックで閉じて袋を密閉していた。そのときの袋の切り取り線は、チャックに平行して印刷された一直線の破線であった。
【発明の開示】
【発明が解決しようとする課題】
【０００３】従来、一直線で印刷された切り取り線に合わせてハサミ等で袋の上部を切り取ったとき、袋の上部の端はチャックのすぐ上に位置するため、チャックで袋が密閉されたとき、袋の上部の表面と裏面が密着して指がその合わせ面の間に入りづらく、チャックを外して開封するのに手間がかかった。
【課題を解決するための手段】
【０００４】  解決手段を図面を追いながら説明すると
（イ）図１において、一部を上方向に突出した形で切り取り線１を印刷した。
（ロ）突出した切り取り線１の位置は、中央部が好ましいが、袋の上部両端のどちらかに、ずらした位置としてもよい。
（ハ）切り取り線１に沿ってハサミで袋の上部を切った後、突出部５の表面と裏面を、それぞれ外側に折り曲げる。（図３）
（ニ）又、図２、図７のように中央部をゆるやかに突出させた台形や山形の切り取り線１の形状の印刷としてもよい。
（ホ）図５のように切り取り線１の形状に合わせて袋の上部を変形させた形としてもよい。
（ヘ）切り取り線１をハサミで切った後、突出した袋の２枚の面を、それぞれ外側に折る目安として折り目線２を印刷してもよい。（図４）
【発明の効果】
【０００５】チャック付の袋の上端の一部を突出させて、袋の表面と裏面に位置する突出部の２枚をそれぞれ外側に折り曲げることにより、突出部が花がひらいたように、それぞれ外に広がって、指で摘みやすくなった。
【発明を実施するための最良の形態】
【０００６】チャック付の袋に印刷する切り取り線は、従来からある破線としてもよいし、一般的な線としてもよい。又、折り目線を切り取り線とは区別した線として印刷することで、ハサミで切り取るときに間違った切り方をしないように判別できる印刷とすることが望ましい。
【産業上の利用可能性】
【０００７】本発明は、袋の上部のチャックが手で開けやすくなった為、年配者や体の不自由な人でも、簡単に健康食品等の服用がしやすくなった。
【図面の簡単な説明】
【０００８】
【図１】一部を突出させた切り取り線を印刷したチャック付の袋。
【図２】台形に切り取り線を印刷したチャック付の袋。
【図３】突出部を、それぞれ外側へ折り曲げたチャック付の袋の側面図。
【図４】折り目線を印刷したチャック付の袋。
【図５】上部を変形させたチャック付の袋。
【図６】従来からある切り取り線を印刷したチャック付の袋。
【図７】山形に切り取り線を印刷したチャック付の袋。
【符号の説明】
【０００９】１は、切り取り線
２は、折り目線
３は、チャック
４は、袋
５は、突出部
【図１】
2006131302.tif 000003
【図２】
2006131302.tif 000004
【図３】
2006131302.tif 000005
【図４】
2006131302.tif 000006
【図５】
2006131302.tif 000007
【図６】
2006131302.tif 000008
【図７】
2006131302.tif 000009